(57)【要約】【課題】ワイヤハーネス挿通用の挿通筒の屈曲が容易なグロメットを提供する。【解決手段】パネル孔に嵌着する環状溝２６を外部に形成し且つ内部には貫通孔２５を形成したグロメット本体２２と、貫通孔２５に連通するようにグロメット本体２２に連成したワイヤハーネス挿通用の挿通筒２３と、を有するグロメット２１の挿通筒２３の内周面に、スパイラル形状の溝３４を形成する。その溝３４の端末部分３５は、挿通筒２３の端面３６よりも内側に配置する。尚、溝３４の途中に、その溝３４を横切るリブ３７を一又は複数形成してもよいものとする。【選択図】    図１
2005006359.tif 000002
【特許請求の範囲】
【請求項１】
パネル孔に嵌着する環状溝を外部に形成し且つ内部には貫通孔を形成したグロメット本体と、前記貫通孔に連通するように前記グロメット本体に連成したワイヤハーネス挿通用の挿通筒とを有するグロメットであって、
前記挿通筒の内周面にスパイラル形状の溝を少なくとも一つ形成した
ことを特徴とするグロメット。
【請求項２】
請求項１に記載のグロメットにおいて、
前記溝の途中に該溝を横切るリブを一又は複数形成した
ことを特徴とするグロメット。
【請求項３】
請求項２に記載のグロメットにおいて、
前記リブが複数ある場合に、該複数のリブを前記挿通筒の軸に平行な同一直線上に重ならないように配置形成した
ことを特徴とするグロメット。
【請求項４】
請求項１ないし請求項３いずれか記載のグロメットにおいて、
前記溝の端末部分を前記挿通筒の端面よりも内側に配置した
ことを特徴とするグロメット。
【請求項５】
請求項１ないし請求項４いずれか記載のグロメットにおいて、
前記挿通筒の外周面にスパイラル形状の第二の溝を形成した
ことを特徴とするグロメット。
【発明の詳細な説明】
【０００１  】
【発明の属する技術分野】
本発明は、パネル孔に嵌着するとともにワイヤハーネスが挿通されるグロメットに関する。
【０００２  】
【従来の技術】
車両パネルに形成されたパネル孔には、そのパネル孔に挿通されるワイヤハーネスとの間をシール、遮音、及び電気絶縁するための、弾性を有するグロメットが取り付けられている。
【０００３  】
図５において、引用符号１は従来のグロメットを示している。そのグロメット１は、大径のグロメット本体２と小径の挿通筒３とを有しており、略漏斗形状に形成されている（例えば特許文献１参照）。グロメット本体２の外部には、車両パネル４のパネル孔５に嵌着する環状溝６が形成されている。また、グロメット本体２の内部には、グロメット軸方向に貫通する貫通孔７が形成されている。挿通筒３は、周壁によってワイヤハーネスを挿通することができるように筒状に形成されている。また、挿通筒３は、グロメット本体２の貫通孔７に連通するように、グロメット本体２の一端に連成されている。環状溝６と挿通筒３との間には、挿通筒３に向けて縮径する傾斜部８が全周にわたって形成されている。
【０００４  】
上記構成において、グロメット１をパネル孔５に嵌着させるためには、先ず、小径の挿通筒３をパネル孔５に挿入し、その挿通筒３を挿入側の反対側から引っ張るようにする（図中の矢線方向に引っ張る）。挿通筒３が引っ張られると、傾斜部８がパネル孔５に当接し、その当接によって傾斜部８に弾性変形が生じる。これにより傾斜部８が縮径され、その縮径した傾斜部８がパネル孔５を摺接しながら通過すると、環状溝６がパネル孔５に嵌着する。
【０００５  】
【特許文献１】
特開平７−１０５７７４号公報  （第２頁、第７図）
【０００６  】
【発明が解決しようとする課題】
ところで、上記従来のグロメット１にあっては、挿通筒３の肉厚が一定であることから、挿通筒３を屈曲させ難いという問題点を有している（図６に示される如く、挿通筒３の外周面が伸張し内周面が収縮することから、屈曲させ難い。尚、屈曲させ難いことによって、ワイヤハーネスを構成する電線の断線が懸念される）。
【０００７  】
本発明は、上述した事情に鑑みてなされるもので、ワイヤハーネス挿通用の挿通筒の屈曲が容易なグロメットを提供することを課題とする。
【０００８  】
【課題を解決するための手段】
上記課題を解決するためなされた請求項１記載の本発明のグロメットは、パネル孔に嵌着する環状溝を外部に形成し且つ内部には貫通孔を形成したグロメット本体と、前記貫通孔に連通するように前記グロメット本体に連成したワイヤハーネス挿通用の挿通筒とを有するグロメットであって、前記挿通筒の内周面にスパイラル形状の溝を少なくとも一つ形成したことを特徴としている。
【０００９  】
請求項２記載の本発明のグロメットは、請求項１に記載のグロメットにおいて、前記溝の途中に該溝を横切るリブを一又は複数形成したことを特徴としている。
【００１０  】
請求項３記載の本発明のグロメットは、請求項２に記載のグロメットにおいて、前記リブが複数ある場合に、該複数のリブを前記挿通筒の軸に平行な同一直線上に重ならないように配置形成したことを特徴としている。
【００１１  】
請求項４記載の本発明のグロメットは、請求項１ないし請求項３いずれか記載のグロメットにおいて、前記溝の端末部分を前記挿通筒の端面よりも内側に配置したことを特徴としている。
【００１２  】
請求項５記載の本発明のグロメットは、請求項１ないし請求項４いずれか記載のグロメットにおいて、前記挿通筒の外周面にスパイラル形状の第二の溝を形成したことを特徴としている。
【００１３  】
請求項１に記載された本発明によれば、スパイラル形状の溝により、挿通筒の内周面側の肉厚による収縮抵抗が低減される。これにより、挿通筒を屈曲させ易くなる。挿通筒のフレキシブル性が向上し、屈曲させ難さに起因する電線の断線が防止される。
【００１４  】
請求項２に記載された本発明によれば、溝を伝わっての水分の浸入がリブにより阻止される。リブは水切りの機能（堰の機能）を有する。また、リブにより挿通筒の塑性変形（伸び）が防止される。
【００１５  】
請求項３に記載された本発明によれば、リブが複数ある場合に、その複数のリブが同一直線上に重ならないように配置される。これにより、ある方向においての屈曲が困難になるようなことが避けられる。
【００１６  】
請求項４に記載された本発明によれば、溝の端末部分が挿通筒の端面よりも内側になる。これにより、挿通筒の端面からの水分の浸入が阻止される。
【００１７  】
請求項５に記載された本発明によれば、スパイラル形状の第二の溝により、挿通筒の外周面側の肉厚による伸張抵抗が低減される。これにより、挿通筒をより一層屈曲させ易くなる。挿通筒のフレキシブル性が向上し、屈曲させ難さに起因する電線の断線が防止される。
【００１８  】
【発明の実施の形態】
以下、図面を参照して本発明の実施の形態を説明する。
図１は本発明のグロメットの一実施の形態を示す断面図である。また、図２は挿通筒の拡大断面図、図３は挿通筒の屈曲状態を示す拡大断面図である。
【００１９  】
図１及び図２において、引用符号２１で示される本発明のグロメットは、ゴム又はエラストマー製の弾性を有するものであって、例えば車両パネルに貫通形成されるパネル孔と、そのパネル孔に挿通されるワイヤハーネスとの間をシール、遮音、及び電気絶縁するために設けられている。また、本発明のグロメット２１は、大径のグロメット本体２２と、そのグロメット本体２２の一端に連成される小径の挿通筒２３とを有して構成されている。
【００２０  】
本発明のグロメット２１は、後述するが、挿通筒２３の屈曲が容易となるように形成されている。以下、上記構成について詳細に説明する。
【００２１  】
上記グロメット本体２２は、パネル嵌着部２４と貫通孔２５とを有している。パネル嵌着部２４は、グロメット本体２２の外部に形成される部分であって、環状溝２６と傾斜部２７と厚肉部２８とを有している。パネル嵌着部２４は、グロメット周方向の全周にわたって形成されている。
【００２２  】
環状溝２６は、上記パネル孔に嵌着するように溝状に形成されている。また、環状溝２６は、上記パネル孔に合わせた径を有するように環状に形成されている。このような環状溝２６の底部分には、上記パネル孔の孔面に対して密着するような環状の凸部２９が形成されている。
【００２３  】
傾斜部２７は、グロメット２１の取り付けの際に上記パネル孔を通過する部分であって、環状溝２６よりもグロメット本体２２の上記一端側に形成されている。また、傾斜部２７は、環状溝２６に連成されている。さらに、傾斜部２７は、グロメット本体２２の上記一端側に向けて縮径するように形成されている。このような傾斜部２７は、頂点３０を有しており、その頂点３０の位置は、上記パネル孔の径よりも大きくなるように形成されている。
【００２４  】
厚肉部２８は、環状溝２６が嵌着する上記パネル孔の縁部を傾斜部２７と共に挟み込む部分であって、環状溝２６よりもグロメット本体２２の他端側に形成されている。また、厚肉部２８は、十分な剛性を有するように厚肉に形成されている。このような厚肉部２８の環状溝２６側には、上記パネル孔の縁部に密着する環状のリップ３１が形成されている。
【００２５  】
貫通孔２５は、グロメット本体２２の内部に形成される部分であって、グロメット軸方向に貫通するように形成されている。貫通孔２５は、挿通される上記ワイヤハーネスよりも大きな径となるように形成されている。
【００２６  】
上記挿通筒２３は、上記ワイヤハーネスを挿通することができるように周壁３２によって筒状に形成されている。このような挿通筒２３は、挿通される上記ワイヤハーネスと同じ又は若干小さな径を有するように形成されている。また、グロメット本体２２の貫通孔２５に連通するように、グロメット本体２２の上記一端に連成されている。
【００２７  】
挿通筒２３のグロメット軸方向の長さは、グロメット本体２２とほぼ同じくらいの長さに形成されている。また、このような長さの挿通筒２３の外周面は、平坦（後述するが、これに限らないものとする）に形成されている。挿通筒２３の外周面は、上記ワイヤハーネスに対してのテープ巻き部分３３として設定されている。
【００２８  】
挿通筒２３の内周面には、スパイラル形状の溝３４が形成されている。その溝３４は、挿通筒２３の内周面を凹ませてなるものであって、挿通筒２３の肉厚を部分的に薄肉化するように形成されている（グロメット軸方向に沿って必ず一部分が薄肉化される）。また、溝３４は、本形態において、三回転分の螺旋を描くように形成されている（これに限定されるものではないものとする。挿通筒２３の屈曲をし易くすることができればよい）。
【００２９  】
溝３４の端末部分３５、３５（一方のみ図示）は、挿通筒２３の端面よりも内側に形成されている。具体的には、挿通筒２３の端面３６及びグロメット本体２２の上記一端よりも内側に形成されている。
【００３０  】
上記構成において、グロメット２１を上記パネル孔に嵌着させるためには、先ず、小径の挿通筒２３を上記パネル孔に挿入し、その挿通筒２３を挿入側の反対側から上記ワイヤハーネスとともに引っ張るようにする。挿通筒２３が上記ワイヤハーネスとともに引っ張られると、傾斜部２７が上記パネル孔に当接し、その当接によって傾斜部２７に弾性変形が生じる。これにより傾斜部２７が縮径され、その縮径した傾斜部２７が上記パネル孔を摺接しながら通過すると、環状溝２６が上記パネル孔に嵌着する。環状溝２６が上記パネル孔に完全に嵌着すると、グロメット２１の取り付け作業が完了する。
【００３１  】
以上、本発明のグロメット２１は、挿通筒２３にスパイラル形状の溝３４が形成される。従って、挿通筒２３の内周面側の肉厚による収縮抵抗を低減することができる。これにより、挿通筒２３を従来よりも格段に屈曲させ易くすることができる（図３参照。挿通筒２３のフレキシブル性を向上させ、屈曲させ難さに起因する電線の断線を防止することができる）。また、挿通筒２３の内周面に溝３４を形成するため、テープ巻き部分３３にテープが巻き難くなることはない。
【００３２  】
一方、溝３４は、挿通筒２３の端面３６よりも内側に形成される。従って、その端面３６からの水分の浸入を阻止することができる。
【００３３  】
その他、本発明は本発明の主旨を変えない範囲で種々変更実施可能なことは勿論である。
【００３４  】
すなわち、上述の溝３４は連続する溝であったが、図４に示される如く、溝３４の途中にその溝３４を横切るリブ３７を一又は複数形成してもよいものとする。図４においては、複数のリブ３７が挿通筒２３の軸（上記グロメット軸に一致）に平行な同一直線上に重ならないように配置形成されている（ある方向においての屈曲が困難にならないようにするため）。尚、リブ３７は、水切りの機能（仮に溝３４に水分があった場合に堰として機能する）と挿通筒２３の塑性変形（伸び）防止機能とを有している。
【００３５  】
また、上述の溝３４は一つであったが、溝３４の間にスパイラル形状の別の溝を追加形成してもよいものとする。
【００３６  】
さらに、上述の挿通筒２３の外周面は平坦であったが、溝３４のようなスパイラル形状の第二の溝（不図示）を形成してもよいものとする（挿通筒２３の外周面側の肉厚による伸張抵抗を低減するため）。
【００３７  】
【発明の効果】
以上説明したように、請求項１に記載された本発明によれば、挿通筒の内周面側の肉厚による収縮抵抗を低減することができる。従って、挿通筒の屈曲が容易なグロメットを提供することができる。
【００３８  】
請求項２に記載された本発明によれば、溝を伝わっての水分の浸入を阻止することができる。また、挿通筒の塑性変形（伸び）を防止することができる。
【００３９  】
請求項３に記載された本発明によれば、ある方向においての屈曲が困難になるようなことを避けることができる。
【００４０  】
請求項４に記載された本発明によれば、挿通筒の端面からの水分の浸入を阻止することができる。
【００４１  】
請求項５に記載された本発明によれば、挿通筒の外周面側の肉厚による伸張抵抗を低減することができる。従って、より一層、挿通筒の屈曲が容易なグロメットを提供することができる。
【図面の簡単な説明】
【図１】本発明によるグロメットの一実施の形態を示す断面図である。
【図２】挿通筒の拡大断面図である。
【図３】挿通筒の屈曲状態を示す拡大断面図である。
【図４】溝の他の例を示す拡大断面図である。
【図５】従来例のグロメットの断面図である。
【図６】従来例のグロメットにおける挿通筒の屈曲状態を示す拡大断面図である。
【符号の説明】
２１  グロメット
２２  グロメット本体
２３  挿通筒
２４  パネル嵌着部
２５  貫通孔
２６  環状溝
２７  傾斜部
２８  厚肉部
２９  凸部
３０  頂点
３１  リップ
３２  周壁
３３  テープ巻き部分
３４  溝
３５  端末部分
３６  端面
３７  リブ
【図１】
2005006359.tif 000003
【図２】
2005006359.tif 000004
【図３】
2005006359.tif 000005
【図４】
2005006359.tif 000006
【図５】
2005006359.tif 000007
【図６】
2005006359.tif 000008